(57)【特許請求の範囲】
【請求項１】
シンク（１１）等の所定位置に形成される生ゴミ廃棄ダクト（１２）と同廃棄ダクト（１２）の下方に配置される生ゴミ処理装置（２２）の投入口（２３）との間に介装されて前記廃棄ダクト（１２）と投入口（２３）との間を外部空間から遮断して連通する投入口連結具（３１）であって、前記廃棄ダクト（１２）に嵌合する上部開口（３３）と前記投入口（２３）に嵌合する下部開口（３４）とを連結具本体（３２）に有し、前記上部開口（３３）の中心と下部開口（３４）の中心とを互いに偏心させ、かつ、前記連結具本体（３２）を前記投入口（２３）の周方向に回転可能に構成した投入口連結具。
【発明の詳細な説明】
【０００１】
【発明の属する技術分野】
本発明は、シンク等に形成される生ゴミ廃棄ダクトと同廃棄ダクトの下方に配置される生ゴミ処理装置の投入口との間に介装される投入口連結具に関するものである。
【０００２】
【従来の技術】
近年、生ゴミ処理装置はシステムキッチン等のオプションとして設定され、シンク下のキッチンキャビネット内に配置されることが多い。この場合、生ゴミ処理装置の投入口とシンク底部の廃棄ダクトとの間を例えば合成樹脂製の連結筒等により直線的に連結していた。一般に、キッチンキャビネットは調理器具及び調味料等の収納空間として使用される。このため、生ゴミ処理装置を設置した状態でキッチンキャビネットを広く有効に利用するためには、生ゴミ処理装置をキッチンキャビネット内の隅部又は奥の方に設置することが望ましい。
【０００３】
【発明が解決しようとする課題】
ところが、シンク等の設計仕様によっては廃棄ダクトの位置が違い、投入口と廃棄ダクトとを連結筒等で直線的に連結しようとする場合、狭いキッチンキャビネット内で生ゴミ処理装置を奥の壁面から手前へずらせて設置しなければならないこともあった。このため、キッチンキャビネット内において、奥の壁面と生ゴミ処理装置との間に無駄なスペースが生じ、同キャビネット内を有効に利用できないおそれがあった。
【０００４】
本発明は前記問題点を解決するためになされたものであって、その目的は、廃棄ダクトの位置が異なる場合においても、廃棄ダクトと投入口とを連結することができる投入口連結具を提供することにある。
【０００５】
【課題を解決するための手段】
請求項１に記載の発明は、シンク等の所定位置に形成される生ゴミ廃棄ダクトと同廃棄ダクトの下方に配置される生ゴミ処理装置の投入口との間に介装されて前記廃棄ダクトと投入口との間を外部空間から遮断して連通する投入口連結具であって、前記廃棄ダクトに嵌合する上部開口と前記投入口に嵌合する下部開口とを連結具本体に有し、前記上部開口の中心と下部開口の中心とを互いに偏心させ、かつ、前記連結具本体を前記投入口の周方向に回転可能に構成したことをその要旨とする。
【０００７】
（作用）
従って、請求項１に記載の発明においては、連結具本体の上部開口の中心と下部開口の中心とが互いに偏心していることにより、連結具本体を投入口の周方向に回転させれば、上部開口の位置が変位する。
【００１０】
【発明の実施の形態】
以下、本発明を、シンクに設けられた生ゴミ廃棄ダクトと同廃棄ダクトの下方に配置された生ゴミ処理装置の投入口との間に介装される投入口連結具に具体化した一実施形態を図１〜図４（ａ），  （ｂ）に従って説明する。
（廃棄ダクト）
図１に示すように、シンク１１の底部には円筒状の廃棄ダクト１２が下方に突出するように設けられており、同廃棄ダクト１２の下部には円筒状の第１固定部１３が形成されている。廃棄ダクト１２内の上部には網目状のゴミカゴ１４が着脱可能に設けられている。廃棄ダクト１２内の下部には、同廃棄ダクト１２の下部開口を水密状に閉鎖する閉鎖蓋１５が着脱可能に装着されている。
（生ゴミ処理装置）
図１及び図２に示すように、前記廃棄ダクト１２の下方、即ちキッチンキャビネット２１の内部には生ゴミ処理装置２２が配置されている。生ゴミ処理装置２２の上面には円形状の投入口２３が形成されており、同投入口２３の周縁には円環状の第２固定部２４が突設されている。この生ゴミ処理装置２２は、投入口２３から投下された生ゴミを、所定温度に保ち、攪拌機構（図示略）により攪拌しながら微生物の働きを利用して発酵分解するものである。
（投入口連結具）
図１及び図２に示すように、前記廃棄ダクト１２と投入口２３との間には投入口連結具としての連結部材３１が介装されている。連結部材３１は弾性変形可能なゴム材により一体形成されている。連結部材３１の本体３２には円形状の上部開口３３及び同じく円形状の下部開口３４が形成されており、下部開口３４の内径は上部開口３３の内径よりも大きくされている。また、上下両開口３３，３４の位置関係は上部開口３３が下部開口３４の内側に位置するように設定されており、上下両開口３３，３４の中心は互いに偏心している。
【００１１】
上下両開口３３，  ３４の外径は、それぞれ第１及び第２固定部１３，  ２４の外径よりも若干大きくされており、前記連結部材３１は、上下両開口３３，３４にそれぞれ第１及び第２固定部１３，  ２４が嵌合された状態で、外周からクランプリング３５にて締め付けられることにより固定されている。連結部材３１は廃棄ダクト１２と投入口２３との間を外部空間から遮断して連通する。
（使用時）
生ゴミ処理を行わないシンク１１の通常使用時には、前記閉鎖蓋１５は装着状態とされ、廃棄ダクト１２と投入口２３との間は水密状に遮断されている。廃棄ダクト１２内に投入されたキッチン排水及び生ゴミは前記ゴミカゴ１４により分離され、このキッチン排水は廃棄ダクト１２の外周下部に接続された排水管１６を介して外部に排水される。
【００１２】
一方、生ゴミ処理を行う場合には、生ゴミが蓄積されたゴミカゴ１４を取り外すと共に、閉鎖蓋１５を取り外し、廃棄ダクト１２と投入口２３との間を連通させる。この状態でゴミカゴ１４内の生ゴミを廃棄ダクト１２内に投下すると、生ゴミは廃棄ダクト１２、連結部材３１及び投入口２３を介して生ゴミ処理装置２２内に落下し、前述のようにして分解処理される。
（実施形態の作用）
次に、前述のように構成された投入口連結具の作用を説明する。
【００１３】
図４に示すように、前記第２固定部２４は円環状に形成されていることにより、連結部材３１は第２固定部２４に対して周方向に移動自在、即ち下部開口３４の中心を軸に回動自在となる。そして、連結部材３１の上下両開口３３，３４の中心が互いに偏心していることにより、連結部材３１を第２固定部２４に対して周方向に移動（回動）させれば、上部開口３３は下部開口３４の中心を軸に偏心回転する。即ち、生ゴミ処理装置２２を固定した状態で、同生ゴミ処理装置２２に対する上部開口３３の位置が変更可能となる。
【００１４】
このため、図３（ａ），  （ｂ）に示すように、シンク等の設計仕様によって廃棄ダクトの位置が違っても、即ち、廃棄ダクト１２が投入口２３の直下になく、キッチンキャビネット２１の手前側にずれていても、連結部材３１を第２固定部２４の周方向にずらすことで、上部開口３３を廃棄ダクト１２の直下近傍に位置させることが可能となる。この結果、キッチンキャビネット２１内で生ゴミ処理装置２２を奥の壁面から手前へずらす距離を短くすることが可能となる。従って、生ゴミ処理装置２２の設置時、キッチンキャビネット２１内の奥の壁面と生ゴミ処理装置２２との間に形成される無駄なスペースが低減する。
【００１５】
また、前記連結部材３１においては、上部開口３３よりも下部開口３４の方が大きく形成され、前記廃棄ダクト１２と投入口２３との間に介装された状態では、上部開口３３が下部開口３４の内側に位置する。このため、廃棄ダクト１２を介して投入された生ゴミは、連結部材３１内を円滑に通過し、投入口２３を介して生ゴミ処理装置２２内に落下する。
【００１６】
従って、本実施形態によれば、以下の効果を得ることができる。
（１）連結部材３１の上部開口３３の中心と下部開口３４の中心とを互いに偏心させた。このため、連結部材３１を第２固定部２４の周方向にずらす（回動させる）ことにより上部開口３３の位置が変位し、キッチンキャビネット２１内において、生ゴミ処理装置２２を奥の壁面又は隅部から移動させる距離が低減する。従って、生ゴミ処理装置２２の狭い配置スペースを有効に利用することができる。
【００１７】
（２）連結部材３１において、上部開口３３が下部開口３４の内側に位置するように両開口３３，３４の位置関係を設定した。このため、廃棄ダクト１２から投下された生ゴミは円滑に連結部材３１内を通過し、生ゴミ処理装置２２内に落下することとなり、連結部材３１内に付着して留まることもない
（３）連結部材３１において、両開口３３，３４をそれぞれ円形状に形成した。このため、連結部材３１は廃棄ダクト１２及び投入口２３の周方向に移動可能となる。このため、連結部材３１の廃棄ダクト１２及び投入口２３への取り付け位置の微調整を簡単に行うことができる。
【００１８】
尚、前記実施形態は以下のように変更して実施してもよい。
【００２０】
・  本実施形態においては、連結部材３１を弾性変形可能なゴム材により形成したが、合成樹脂により一体的に形成してもよい。この場合、上部開口３３の中心と下部開口３４の中心とを互いに偏心させる。このようにしても、生ゴミ処理装置２２の設置自由度を向上させることができる。
【００２２】
・  本実施形態においては、上下両開口３３，３４を円形状に形成したが、多角形状、楕円形状、四角形状及び三角形状等の任意の形状に形成してもよい。このようにしても、廃棄ダクト１２の位置が異なる場合において、同廃棄ダクト１２と投入口２３とを連結することができる。この場合、上下両開口３３，３４を円形状の場合と異なり、連結部材３１の廃棄ダクト１２及び投入口２３に対する取り付け自由度は低減する。
【００２３】
次に、前記実施形態から把握できる請求項記載発明以外の技術的思想について、以下にそれらの効果と共に記載する。
・  前記上部開口（３３）及び下部開口（３４）は、それぞれ円形の開口である請求項１に記載の投入口連結具。このようにすれば、投入口連結具の下部開口が投入口の周方向に移動自在になり、上部開口の廃棄ダクトに対する位置を微調整することができる。
【００２４】
・  前記連結具本体（３２）は、合成樹脂により一体成型されている請求項１に記載の投入口連結具。このようにすれば、射出成型等により、製造効率を向上させることができる。
【００２５】
・  シンク（１１）等の所定位置に形成される生ゴミ廃棄ダクト（１２）と同廃棄ダクト（１２）の下方に配置される生ゴミ処理装置（２２）の投入口（２３）との間に介装されて前記廃棄ダクト（１２）と投入口（２３）との間を外部空間から遮断して連通する投入口連結具（３１）であって、前記廃棄ダクト（１２）に嵌合する上部開口（３３）と前記投入口（２３）に嵌合する下部開口（３４）とを連結具本体（３２）に有し、上部開口（３３）は下部開口（３４）に対してその位置を変位可能に設けられている投入口連結具。このようにすれば、廃棄ダクトの直下に投入口がない場合においても、廃棄ダクトと投入口とを連結することができる。
【００２６】
【発明の効果】
従って、請求項１に記載の発明によれば、連結具本体の投入口に対する周方向への回転に伴って上部開口の位置が変位することにより、廃棄ダクトの位置が異なる場合においても、投入口連結具を廃棄ダクトと投入口とを連結することができる。
【図面の簡単な説明】
【図１】生ゴミ処理装置の設置状態を示すキッチンキャビネットの断面図。
【図２】連結部材による廃棄ダクトと投入口との連結を示す分解斜視図。
【図３】（ａ），  （ｂ）は、キッチンキャビネット内設置時の生ゴミ処理装置の平面図。
【図４】生ゴミ処理装置に対する装着状態の連結部材の平面図。
【符号の説明】
１１…シンク、１２…生ゴミ廃棄ダクト、２２…生ゴミ処理装置、２３…投入口、３１…連結部材（投入口連結具）、３２…連結部材の本体、３３…上部開口、３４…下部開口。
【図１】
0003574362.tif 000002
【図２】
0003574362.tif 000003
【図３】
0003574362.tif 000004
【図４】
0003574362.tif 000005